(57)【要約】【課題】端子台へのプラグの取り付け取り外しを容易かつ確実に行うことができ、プラグが隣接する端子台に接触してもショートをすることがない構造が単純で小型、低廉な接続端子を提供する。【解決手段】装置前面のパネル(12)に突出して固定された端子台本体(14)および対をなす２つの端子台本体間を電気的に接続するためのプラグ(16)からなる接続端子(10)であって、前記プラグは、その側面両端部に金属面(M)が露出する部分を有し、かつ、側面中央部外周面が絶縁体で被覆された棒状体であり、前記端子台本体は、先端部に端子台本体の突出方向に向けて開口する開口部(18)が形成された導電部材(22)と、該導電部材の外周面を覆う絶縁体である被覆部材(24)とからなり、該導電部材の開口部は、端子台本体の突出方向から挿し嵌められた前記プラグをプラグの側面から挟止する対向する２枚の平行板バネ(18a)である、ことを特徴とする。【選択図】図１
2007250481.tif 000002
【特許請求の範囲】
【請求項１】
装置前面のパネル（１２）に突出して固定された端子台本体（１４）および対をなす２つの端子台本体間を電気的に接続するためのプラグ（１６）からなる接続端子（１０）であって、
前記プラグは、その側面両端部に金属面（Ｍ）が露出する部分を有し、かつ、側面中央部外周面が絶縁体で被覆された棒状体であり、
前記端子台本体は、先端部に端子台本体の突出方向に向けて開口する開口部（１８）が形成された導電部材（２２）と、該導電部材の外周面を覆う絶縁体である被覆部材（２４）とからなり、
該導電部材の開口部は、端子台本体の突出方向から挿し嵌められた前記プラグをプラグの側面から挟止する対向する２枚の平行板バネ（１８ａ）である、ことを特徴とする接続端子。
【請求項２】
前記端子台本体（１４）の開口部（１８）を構成する対向する２枚の平行板バネ（１８ａ）の間には、これらと直角をなす１枚の直角板バネ（１８ｂ）がさらに設けられており、該直角板バネは前記開口部に差し嵌めた前記プラグをその軸方向に付勢する、ことを特徴とする請求項１に記載の接続端子。
【請求項３】
前記プラグ（１６）の側面中央部は側面両端部よりも太く形成されている、ことを特徴とする請求項１又は２に記載の接続端子。
【請求項４】
前記プラグ（１６）は略楕円柱形状をなしている、ことを特徴とする請求項１乃至３のいずれか一項に記載の接続端子。
【請求項５】
前記プラグ（１６）の中央部には長径方向に突起する絶縁体のツマミ（２６）が設けられおり、該ツマミはプラグをその長径方向から端子台本体（１４）の開口部（１８）に挿し込んでから軸周りに摺動回転させるためのレバーとなる、ことを特徴とする請求項４に記載の接続端子。
【請求項６】
前記プラグ（１６）の側面両端部は、その長径方向外周面に露出した金属面（Ｍ）と、その短径方向外周面が絶縁体の絶縁面（Ｉ）と、を有しており、
前記端子台本体（１４）の開口部（１８）に挿し込んだプラグを軸周りに１／４摺動回転させることで対をなす２つの端子台本体間を電気的に接続する、ことを特徴とする請求項５に記載の接続端子。
【請求項７】
前記端子台本体（１４）には、測定試験用のリード線を接続するための試験用突起（２８）が設けられている、ことを特徴とする請求項１乃至５のいずれか一項に記載の接続端子。
【発明の詳細な説明】
【技術分野】
【０００１】
本発明は、主として装置の前面パネルに取り付けられる接続端子（例えばトリップロック端子）に関する。
【背景技術】
【０００２】
遮断器を作動させる保護制御装置（例えば送電線保護継電器盤）は、常時はトリップ回路を閉路に、異常時や定期点検時にはトリップ回路を開路にすることが可能であり、トリップロック端子は、この保護制御装置のトリップ回路に設けられる。
【０００３】
図７に従来からあるトリップロック端子１００（端子台１１０およびプラグ１２０）の概略を斜視図で示した。この端子台１１０およびプラグ１２０は、保護制御装置の前面パネル１２に複数個水平方向に並べられて取り付けられるものである。
【０００４】
各プラグ１２０は、両端に切欠き部１２３が形成された短冊形状を有する導体であり、その中心部は指で摘むために帯状の絶縁体１２１で被覆されている。両端に形成された切欠き部１２３は、後述する端子台１１０のボルト軸に側方から挿し入れるためのもので、図７（ａ）に示すようにプラグの両端が長手方向に対して垂直方向に同じ向きにＵ字状に欠けるように形成されるか、図７（ｂ）に示すようにプラグの一端側が長手方向にＵ字状に欠け、他端側が長手方向に対して垂直方向にＵ字状に欠けるように形成される。
【０００５】
各端子台１１０は、保護制御装置の前面パネル１２に突出するように取り付けられた供給側電路に接続する供給側端子と負荷側電路に接続する負荷側端子とを備えている。供給側端子の基部１１１および負荷側端子の基部１１３は、絶縁支持体１１５を介して前面パネル１２に固定されており、その中心にはネジ穴が形成されている。基部１１１，１１３のネジ穴には、外周面にネジ山が形成された円柱状のボルト軸１１７が螺合され、このボルト軸１１７の先端には、絶縁体により作成され内周面にネジ溝を有する凹部が形成されたナット体１１９が螺合される。この絶縁支持体１１５、基部１１１，１１３、ボルト軸１１７およびナット体１１９は一体として端子台１１０を構成する。
【０００６】
プラグ１２０は、端子台１１０の供給側端子と負荷側端子の各ボルト軸１１７に側方から挿し入れられ、この状態でナット体１１９を回転させて締め付けることで基部１１１，１１３とナット体１１９との間にその両端を挟み込まれて固定される。これにより、供給側電路と負荷側電路とは電気的に接続されることとなる。
【０００７】
ここで従来の保護制御装置の前面パネル１２には複数の端子台が近接した状態で隣接しており、そのため側方から端子台１１０にプラグ１２０を挿し入れにくといった問題があった。またナット体を締め付けたり緩めたりする際には、小さなナット体を指先で摘んで行わなければならなかったため、作業者の手への負担が大きいといった問題があった。さらにプラグ１２０の抜き挿しの際に隣接する端子台１１０への接触が起こりやすいといった問題もあった。
【０００８】
そこで特許文献１では、作業性を改善するために、操作棒を摺動・回転させるツーアクションにより操作できるようにした「トリップロック端子台」が開示されている。
【特許文献１】特開２００１−３５１４８２号公報
【発明の開示】
【発明が解決しようとする課題】
【０００９】
しかしながら特許文献１に記載の発明はその構造が複雑であるとともに端子台が大きくなる傾向があり、その製造コストが高くなるだけでなく多くの端子台を保護制御装置の前面パネルに並べる場合に不都合を生じることがあった。
【００１０】
本発明はこのような問題を解決するために創案されたものであり、端子台へのプラグの取り付け取り外しを容易かつ確実に行うことができ、プラグが隣接する端子台に接触してもショートをすることがない構造が単純で小型、低廉な接続端子を提供することを目的とする。
【課題を解決するための手段】
【００１１】
上記目的を達成するため請求項１に記載の接続端子は、装置（１２）の外面に突出して固定された端子台本体（１４）および対をなす２つの端子台本体間を電気的に接続するためのプラグ（１６）からなる接続端子（１０）であって、前記プラグは、その側面両端部に金属面（Ｍ）が露出する部分を有し、かつ、側面中央部外周面が絶縁体で被覆された棒状体であり、前記端子台本体は、先端部に端子台本体の突出方向に向けて開口する開口部（１８）が形成された導電部材（２２）と、該導電部材の外周面を覆う絶縁体である被覆部材（２４）とからなり、該導電部材の開口部は、端子台本体の突出方向から挿し嵌められた前記プラグをプラグの側面から挟止する対向する２枚の平行板バネ（１８ａ）である、ことを特徴とする。
【００１２】
ここで請求項２に記載のように、前記端子台本体（１４）の開口部（１８）を構成する対向する２枚の平行板バネ（１８ａ）の間には、これらと直角をなす１枚の直角板バネ（１８ｂ）がさらに設けられており、該直角板バネは前記開口部に差し嵌めた前記プラグをその軸方向に付勢する、ことも好ましい。
【００１３】
また請求項３に記載の発明は、前記プラグ（１６）の側面中央部は側面両端部よりも太く形成されている、ことを特徴とする。
【００１４】
請求項４に記載の発明は、前記プラグ（１６）は略楕円柱形状をなしている、ことを特徴とする。
【００１５】
ここで請求項５に記載の発明のように、前記プラグ（１６）の中央部には長径方向に突起する絶縁体のツマミ（２６）が設けられおり、該ツマミはプラグをその長径方向から端子台本体（１４）の開口部（１８）に挿し込んでから軸周りに摺動回転させるためのレバーとなる、ことも好ましい。
【００１６】
請求項６に記載の発明では、前記プラグ（１６）の側面両端部は、その長径方向外周面に露出した金属面（Ｍ）と、その短径方向外周面が絶縁体の絶縁面（Ｉ）と、を有しており、前記端子台本体（１４）の開口部（１８）に挿し込んだプラグを軸周りに１／４摺動回転させることで対をなす２つの端子台本体間を電気的に接続する、ことを特徴とする。
【００１７】
さらに請求項７に記載の発明は、前記端子台本体（１４）には、測定試験用のリード線を接続するための試験用突起（２８）が設けられている、ことを特徴とする。
【発明の効果】
【００１８】
請求項１に記載の発明によれば、対をなす端子台本体の開口部の正面からプラグを摘んで挿し嵌めることができるためその抜き挿しを容易に行うことができる。また本発明の接続端子はその構造が単純で小型であるため、多くの接続端子（トリップロック端子）を保護制御装置の前面パネルに並べて配置することができる。ここで端子台本体の導電部材の外周面は絶縁体である被覆部材によって覆われているため、プラグの抜き挿しの際などに隣接する端子台本体にプラグが接触したとしてもショートすることを防ぐことができる。さらに本発明の接続端子はその構造が単純であるためその製造コストが低廉であるといったメリットもある。
【００１９】
また請求項２に記載の発明では、プラグを側面方向から狭止するだけでなく対をなす２つの端子台本体の間で軸方向にも狭止することで、端子台本体へのプラグの取り付けをより確実に行うことが可能となる。
【００２０】
ここで請求項３に記載の発明のようにプラグの側面中央部を側面両端部よりも太くしてやれば、端子台本体へのプラグの取り付けに際し、端子台本体の開口部に対しプラグが軸方向にずれることを防ぐことができるとともに、プラグ側面中央部を指で摘んでプラグの抜き挿しを行う際の取り扱いがしやすくなる。
【００２１】
また請求項４に記載の発明のように、プラグを略楕円柱形状としてやれば、プラグを指で摘みやすくなるとともに床面等に置いたときにも転がりづらくなるため、プラグの抜き挿し際の作業性が向上する。
【００２２】
請求項５に記載の発明では、略楕円柱形状のプラグの中央部に長径方向に突出するツマミを設け、端子台本体の開口部にプラグをその長径方向から挿し入れるためプラグの抜き挿しがしやすい一方、ツマミをレバーにしてプラグを１／４回転させれば、プラグが板バネ状に形成された開口部を押し広げるため、より確実に端子台本体に密着固定される。なおツマミは略楕円柱形状のプラグの回転をさせやすくするとともに、目視による通電・遮断の確認を容易にする役割も有する。
【００２３】
ここで請求項６に記載の発明のように、プラグの側面両端部を、その短径方向外周を絶縁体の絶縁面に、その長径方向外周を導電性の金属面とすることで、端子台本体の開口部にプラグを長径方向から挿し入れたときには対をなす端子台本体間は通電せず、そこからプラグを１／４回転させることで初めて端子台本体間を電気的に接続するようにすることができるので、端子接続時の安全性の確保が容易となる。また各種測定などの際に対をなす端子台本体の電気的接続を切る必要がある場合などに、端子台本体からプラグを抜くことなく１／４回転させるだけで容易に通電を遮断することができる。
【００２４】
また請求項７に記載の発明によれば、端子台本体の導電部材に測定試験用のリード線を接続するための試験用突起を形成しておくことで、電圧測定などの測定試験実施の容易化を図ることができる。
【発明を実施するための最良の形態】
【００２５】
本発明の接続端子（トリップロック端子）は、主として保護制御装置の前面（鉛直面）のパネルに複数個水平方向に並べられて取り付けられるものであり、対をなす２つの端子台本体へのプラグの抜き挿しを容易かつ確実に行うことができ、多くの端子を保護制御装置の前面パネルに並べて配置することが可能で、また、その構造が単純で小型・低廉なものであることを特徴とするものである。
以下、本発明の好ましい実施形態を図面を参照して説明する。
【実施例１】
【００２６】
図１は本発明の接続端子（トリップロック端子）の第１の実施例を示した斜視図であり、図２（ａ）は図１のＸ−Ｘ断面図、図２（ｂ）は図１のＹ−Ｙ断面図である。各トリップロック端子１０は、保護制御装置の前面パネル１２に突出した状態で固定される端子台本体１４と、上下方向（鉛直方向）で対をなす２つの端子台本体１４を電気的に接続するための着脱式のプラグ１６とから構成される。
【００２７】
プラグ１６の本体は、鉄や銅などの金属材を円柱状に加工したものであり、その側面中央部はプラスチック樹脂などの絶縁体１６ａによって被覆される一方、側面両端部には金属面（Ｍ）が露出している。プラグ１６は、半径が１ｃｍ程度で、対をなす２つの端子台本体に取り付けた際に余長なくぴったりと収まる長さ、例えば５ｃｍ程度の長さを有している。プラグ側面中央部１６ａの絶縁体は、プラグ軸方向の長さが例えば３ｃｍで厚みが３ｍｍとなるようにプラグ１６本体側面外周に巻き付けられるように取り付けられている。またプラグ１６の両端面には軸方向に３ｍｍ程度椀状に凹む凹部１３が形成されている。
【００２８】
端子台本体１４は図２に示したように、通電用の導電部材２２と絶縁用の被覆部材２４とが一体となったものであり、２つの端子台本体が対をなした状態で上下に３ｃｍ程度距離をおいて保護制御装置の前面パネル１２に取り付けられる。なお前面パネル１２への端子台本体１４の取り付けは被覆部材２４の部分においてネジ等を用いて行われる（図示せず）。
鉄材や銅材などの金属材料が用いられる導電部材２２は、保護制御装置の前面パネル１２を貫通する基部１５と、プラグ１６を基部の先端部に挿し嵌めるための開口部１８とからなる。基部１５は縦×横が１．５×１ｃｍ程度で長さ３ｃｍ程度の大きさの角柱形状をしており、開口部１８は導電部材２２の先端の３側面を薄肉の板バネ状に加工することで形成されている（対向する２枚の薄肉を平行板バネ１８ａ、平行板バネ１８ａと直角をなす薄肉を直角板バネ１８ｂという）。この開口部１８を形成する平行板バネ１８ａと直角板バネ１８ｂとは分離している。なお開口部１８を導電部材２２の先端を薄肉の板バネ状に加工することで形成する代わりに、別途作成した板バネを導電部材２２の先端に溶接等によって取り付けることで形成してやることも勿論可能である。
開口部１８は端子台本体１４が保護制御装置の前面パネル１２から突出する方向に向けて開口しており、鉛直に立てた状態のプラグ１６を保護制御装置の前面側から抜き挿しができるようになっている。対向する２面の平行板バネ１８ａは円柱状のプラグ１６を取り付けた際にプラグ両端側面の金属面（Ｍ）との接触面積を拡大するようにプラグ外周面と同程度の曲率で湾曲し、挿し嵌めたプラグ１６の金属面（Ｍ）をプラグ側面側から狭止する。残りの１面の直角板バネ１８ｂはプラグ１６両端面の凹部１３に対応する凸部が形成されており、挿し嵌めたプラグ１６の端面を軸方向に付勢する。
プラスチック樹脂などの絶縁体が用いられる被覆部材２４は、導電部材２２（基部１５および開口部１８）の外周面を覆っている。ここで薄肉板バネ状の開口部１８の先端部には数ミリメートル程度被覆部材２４が延出し、または、開口部の先端部の数ミリメートルがその全周を被覆部材２４によって覆われている。このように開口部の先端部を被覆部材とすることで、開口部１８内にプラグ１６が深く挿し込まれるまでは開口部内面の金属面がプラグ１６の側面両端部の金属面（Ｍ）と接触しないようにすることができる。ここで被覆部材２４は、導電部材２２の外周面に貼付される柔軟な薄膜であってもよいし、水平方向（図１のＸ−Ｘ方向）断面図である図３に示したように、導電部材２２の外周面をカバーするようなカバー部材であってもよい。なお被覆部材２４をカバー部材とするときは、導電部材２２先端の板バネ状の開口部１８が、プラグ１６を挿し込むことにより押し広がるのを妨げないように、柔軟な部材が用いられるか、図３に示すように開口部１８の外周面との間に若干の隙間２１を形成しておくことが必要である。
【００２９】
以上に説明した本実施例のトリップロック端子１０によれば、対をなす端子台本体１４の開口部１８の正面側からプラグ１６を摘んで挿し嵌めることができるため、その抜き挿しを容易に行うことができる。また対をなす２つの端子台本体１４の間でプラグ１６を軸方向にも狭止するため、より確実に端子台本体１４へのプラグ１６の取り付けが行われる。さらにこのトリップロック端子１０は小型とすることができ、その正面側からプラグ１６の取り付け取り外しを行うため、多くのトリップロック端子１０を保護制御装置の前面パネル１２に並べて配置することができる。ここで多くのトリップロック端子１０を近接した状態で並べて配置した場合であっても、端子台本体１４の外周面が絶縁体である被覆部材２４によって被覆されているため、プラグ１６の抜き挿しの際に隣接する端子台本体１４にプラグ１６が接触したとしてもショートすることを防ぐことができる。またプラグ側面中央部が側面両端部よりも太く形成されているため、端子台本体１４へのプラグ１６の取り付けに際し、端子台本体１４の開口部１８に対しプラグが軸方向にずれることを防ぐことができるとともに、プラグ側面中央部の絶縁体１６ａを指で摘んでプラグ１６の抜き挿しを行う際の取り扱いがしやすくなる。なお本実施例のトリップロック端子１０はその構造が単純であるためその製造コストも抑えることができる。
【実施例２】
【００３０】
図４および図５に本発明のトリップロック端子台の第２の実施例の斜視図および断面図を示した。なお本実施例において実施例１と同様の構成については同一の符号を付することで、重複する説明を省略する。
【００３１】
図４および図５に示したように、このトリップロック端子１０’のプラグ１６は略楕円柱形状をしており、絶縁体１６ａにより被覆された側面中央部には、プラグ横断面の長半径方向に１ｃｍ程度突出するツマミ２６が形成されている。
またプラグ側面両端部は、その長径方向外周面に金属面（Ｍ）が露出し、その短径方向外周面が絶縁体の絶縁面（Ｉ）となっている。なおプラグ両端部の側面外周は滑らかな面となっていることが好ましい。
【００３２】
一方、端子台本体１４の開口部１８は、対向する２枚の平行板バネ１８ａのみから構成され、実施例１の直角板バネ１８ｂは形成されていない。また開口部内最深部の垂直面には絶縁フィルム１７が貼付されている。
【００３３】
さらに端子台本体１４の導電部材２２の基部１５には、垂直方向に延出する１ｃｍ程度の長さの筒状の試験用突起２８が形成されている。この試験用突起２８の外周は絶縁部材によって被覆されており、図示しない測定機器のリード線先端に取り付けられた棒状のバナナ端子をその鉛直方向から挿し込むための孔１９がその中央部に形成されている。なお図５（ｂ）に示したように、孔１９を形成した被覆部材２４を試験用突起２８とし、導電部材２２の基部１５には穴のみを形成する構成とすることもできる。
なお被覆部材２４により被覆した導電部材２２を延出する場合には、試験用突起２８をＬ字型に折り曲げて形成しその孔１９を前面側に向けることで、装置前面側から測定機器のリード線先端の端子を挿し込めるようにしてやることも勿論可能である。
【００３４】
本実施例のトリップロック端子１０’を使用する手順を図６に示した。
まずプラグ１６をそのツマミ２６またはプラグ側面中央部１６ａを指で摘み、楕円柱状のプラグの長半径方向からこれを端子台本体１４の開口部１８に挿し入れてやる。このとき開口部１８を構成する２枚の平行板バネ１８ａの内周面（金属面）は、プラグ側面両端部の絶縁面（Ｉ）と当接しているため対をなす端子台本体１４間は通電しない。
続いてプラグ側面中央部１６ａのツマミ２６をレバーにして軸周りにプラグ１６を軸周りに１／４摺動回転させ、平行板バネ１８ａの内周面（金属面）とプラグ側面両端部の金属面（Ｍ）とを当接させることで対をなす端子台本体１４間を電気的に接続する。
【００３５】
以上説明した本実施例のトリップロック端子１０’によれば、実施例１で説明した効果に加え、端子台本体１４の開口部１８に挿し込んだプラグ１６を軸周りに１／４摺動回転させることで開口部がさらに押し広げられるため、プラグは端子台本体により確実に固定されることとなる。またプラグ１６の回転により、対をなす２つの端子台本体１４間の電気的接続・遮断を容易に行うことができ、その確認もツマミ２６の位置を目視することで容易に行うことができる。これにより各種測定などの際に対をなす端子台本体１４の電気的接続を切る必要がある場合などに、端子台本体からプラグ１６を抜くことなく１／４回転させるだけで通電を遮断して測定を行うことができるようになる。
なおフラグ１６が楕円柱状に形成され、また、プラグにツマミ２６が形成されているため、作業中に地面に置いたプラグが転がることがなく、プラグの取り付け取り外しの際の作業性が向上する。
また、端子台本体１４の基部１５に試験用突起２８を予め形成してやることで、各種測定試験に際してその実施が容易化される。なお試験用突起２８はその外面が絶縁体によって被覆されており、その中央部に形成された孔１９に測定機器の棒状の端子（バナナ端子など）を深く挿し入れて初めて測定機器と電気的に接続されるため、試験用突起を形成してもこの部分にプラグなどが接触したとしても短絡する虞はない。
【００３６】
なお上記実施例では保護制御装置の前面パネルに取り付けて使用されるトリップロック端子について説明してきたが、本発明の接続端子はかかる使用に限られず、本発明の趣旨を逸脱しない範囲で種々の装置に使用することができるのは勿論である。また本発明の各構成は実施例に記述したものに限られるものではなく、発明の目的の範囲内で適宜変更して用いることができる。
【図面の簡単な説明】
【００３７】
【図１】本発明のトリップロック端子の第１の実施例を示した斜視図である。
【図２】（ａ）は図１のＸ−Ｘ断面図、（ｂ）は図１のＹ−Ｙ断面図である。
【図３】被覆部材をカバー部材としたときのトリップロック端子の水平方向断面図である。
【図４】本発明のトリップロック端子の第２の実施例を示した斜視図である。
【図５】（ａ）は図４のＸ−Ｘ断面図、（ｂ）は図４のＹ−Ｙ断面図である。
【図６】実施例２のトリップロック端子を使用する手順を示すための水平方向断面図である。
【図７】従来のトリップロック端子を示した斜視図である。
【符号の説明】
【００３８】
１０，１０’  接続端子（トリップロック端子）
１２  （保護制御）装置前面のパネル
１３  凹部
１４  端子台本体
１５  基部
１６  プラグ
１６ａ  絶縁体
１７  絶縁フィルム
１８  開口部
１８ａ  平行板バネ
１８ｂ  直角板バネ
１９  孔
２１  隙間
２２  導電部材
２４  被覆部材
２６  ツマミ
２８  突起
Ｉ  絶縁面
Ｍ  金属面
【図１】
2007250481.tif 000003
【図２】
2007250481.tif 000004
【図３】
2007250481.tif 000005
【図４】
2007250481.tif 000006
【図５】
2007250481.tif 000007
【図６】
2007250481.tif 000008
【図７】
2007250481.tif 000009